(57)【要約】【課題】  洗濯等において、裏表を気にする必要のない施術用衣服を提供する。【解決手段】  施術用衣服１は、表裏両面がタオル地からなり、リバーシブル着用可能なノースリーブ状に形成されている。施術用衣服１は、略左右対称で、かつ、互いに接合分離可能な、左側前後身頃２と、右側前後身頃３と、からなっている。左側前後身頃２と右側前後身頃３の正面側の重ね合わせ部分には、上下方向に所定の間隔を置いて接合手段としての複数のプラスチック製スナップボタン５が設けられている。左側前後身頃２と右側前後身頃３の背面側の重ね合わせ部分には、上下方向に所定の間隔を置いて接合手段としての複数のプラスチック製スナップボタン６が設けられている。【選択図】  図１
0003210678.tif 000002
【実用新案登録請求の範囲】
【請求項１】
被施術者が着衣する施術用衣服であって、
表裏両面が略同一素材の生地からなり、リバーシブル着用可能に形成されていることを特徴とする施術用衣服。
【請求項２】
略左右対称で、かつ、互いに接合分離可能な、左側前後身頃と、右側前後身頃と、からなる、請求項１に記載の施術用衣服。
【請求項３】
前記左側前後身頃と前記右側前後身頃の前後の重ね合わせ部分に、それぞれ、上下方向に所定の間隔を置いて接合手段としての複数のスナップボタンが設けられている、請求項２に記載の施術用衣服。
【考案の詳細な説明】
【技術分野】
【０００１】
本考案は、施術用衣服に関する。さらに詳細には、本考案は、例えば、鍼灸等の施術を受ける被施術者（患者）が施術時に着衣する施術用衣服（患者着）に関する。
【背景技術】
【０００２】
鍼灸やマッサージなどの施術を受ける被施術者は、鍼灸師等から貸与される専用の衣服（施術用衣服）を着衣して、施術を受けるのが一般的である。
従来、この種の施術用衣服においては、チャック（スライドファスナー）を用いて、正面側と背面側を開け閉めするようにされていた。
しかし、チャックで開け閉めする構造だと、例えば患部がお腹の場合であっても、施術用衣服の、胸元に対応する部分も開かなければならず、女性の患者が恥ずかしい思いをしていた。
【０００３】
そこで、最近、被施術者の羞恥心を刺激することのない施術用衣服が提案されている（例えば、特許文献１を参照）。特許文献１に開示された施術用衣服においては、複数のマジックテープ（登録商標）等の面ファスナーを用いて、正面側と背面側を開け閉めするようにされている。かかる構成によれば、施術用衣服の、患部に対応する部分のみを開いて、鍼灸等を施すことができるので、被施術者（特に女性の患者）の羞恥心を刺激することがない。
【先行技術文献】
【特許文献】
【０００４】
【特許文献１】実用新案登録第３１３２５６５号公報
【考案の概要】
【考案が解決しようとする課題】
【０００５】
ところで、鍼灸師等は、施術用衣服を多数所有しており、一度着衣されたものはその都度洗濯しているのが現状である。
しかし、患者によっては裏返しのまま脱衣する者もあり、鍼灸師等は、施術用衣服を洗濯する際や洗濯して乾燥させた施術用衣服を畳む際に、裏表を気にする必要があった。
また、特許文献１のようにマジックテープ（登録商標）等の面ファスナーを用いて、正面側と背面側を開け閉めするものにあっては、施術用衣服本体が、肌触りの良いタオル地のような起毛素材からなる場合に、当該面ファスナーが施術用衣服本体の生地に貼り付いて生地を傷めてしまう虞があった。
さらに、鍼灸によって出血する場合があり、施術用衣服本体の生地が汚れて、洗濯しても落ちない場合がある。この場合には、施術用衣服を廃棄することとなるが、一着まるごと廃棄するのはもったいなく、経済的でない。
【０００６】
本考案は、従来技術における前記課題を解決するためになされたものであり、洗濯時等において、裏表を気にする必要のない施術用衣服を提供することを目的とする。
また、本考案は、鍼灸等の施術時に、患部に対応する部分を、簡単に開いたり閉じたりすることができると共に、施術用衣服本体の生地を傷めてしまう虞もない施術用衣服を提供することを目的とする。
さらに、本考案は、鍼灸による出血等によって汚れた場合であっても、一着まるごと廃棄する必要のない経済的な施術用衣服を提供することを目的とする。
【課題を解決するための手段】
【０００７】
前記目的を達成するため、本考案に係る施術用衣服の構成は、
（１）被施術者が着衣する施術用衣服であって、
表裏両面が略同一素材の生地からなり、リバーシブル着用可能に形成されていることを特徴とする。
【０００８】
本考案において、「略同一素材の生地」とは、模様や色の見た目、肌触り等が似ていることを意図しており、完全に同一の素材からなることを意図するものではない。但し、完全に同一の素材からなることを排除するものでもない。
本考案の施術用衣服の表裏両面は、タオル地であることが好ましい。かかる好ましい構成によれば、着用感に優れた施術用衣服を提供することが可能となる。
尚、本考案の施術用衣服は、表裏両面が略同一素材の生地からなっていれば、一重の生地で構成されていても、表地と裏地の二重の生地で構成されていてもよい。また、表地と中地と裏地とを積層した構成のものであってもよい。
【０００９】
本考案の施術用衣服の上記（１）の構成によれば、リバーシブル着用可能に形成されているため、例えば、洗濯等において、裏表を気にする必要がない。その結果、例えば、当該施術用衣服の持ち主である鍼灸師等の、洗濯等の際における手間を軽減することが可能となる。
【００１０】
本考案の施術用衣服の上記（１）の構成においては、以下の（２），（３）のような構成にすることが好ましい。
【００１１】
（２）前記施術用衣服が、略左右対称で、かつ、互いに接合分離可能な、左側前後身頃と、右側前後身頃と、からなっている。
【００１２】
上記（２）の好ましい構成によれば、例えば、当該施術用衣服の右側部分だけが鍼灸による出血等によって汚れた場合に、右側前後身頃だけを廃棄すればよいので、経済的である。
また、左側前後身頃と右側前後身頃を、それぞれ略前後対称となるように形成することにより、左側前後身頃をそのまま右側前後身頃として用いることが可能となり、右側前後身頃をそのまま左側前後身頃として用いることが可能となる。従って、例えば、右側部分だけが鍼灸による出血等によって汚れた２つの施術用衣服がある場合に、汚れていない２つの左側前後身頃のうちの一方を右側前後身頃として用いることにより、汚れていない左右の前後身頃を揃えて、新たな施術用衣服として使用することが可能となる。そして、この場合も、右側前後身頃だけを廃棄すればよいので、経済的である。
【００１３】
（３）上記（２）の構成において、前記左側前後身頃と前記右側前後身頃の前後の重ね合わせ部分に、それぞれ、上下方向に所定の間隔を置いて接合手段としての複数のスナップボタンが設けられている。
【００１４】
上記（３）の好ましい構成によれば、接合手段としてスナップボタンを用いることにより、当該接合手段を、片手で簡単に止めることができ、また、片手で簡単に外すこともできる。従って、上記（３）の好ましい構成によれば、例えば、鍼灸等の施術時に、施術用衣服の、患部に対応する部分を、簡単に開いたり閉じたりすることができるので、施術する側にとって使い勝手の良い施術用衣服を提供することが可能となる。また、複数のスナップボタンが所定の間隔を置いて設けられているので、チャック（スライドファスナー）で開け閉めする場合と異なり、施術用衣服の、患部に対応する部分のみを開いて、鍼灸等を施すことができる。例えば患部がお腹の場合には、施術用衣服の、お腹に対応する部分のみを開き、胸元に対応する部分は閉じたままにしておくことができるので、女性の患者が恥ずかしい思いをすることはない。
また、接合手段としてスナップボタンを用いれば、施術用衣服本体が肌触りの良いタオル地のような起毛素材からなる場合であっても、面ファスナーのように施術用衣服本体の生地に貼り付いて生地を傷めてしまうこともない。
さらに、左側前後身頃と右側前後身頃を、それぞれ略前後対称となるように形成し、かつ、スナップボタンの雄部と雌部の配置を工夫することにより、左側前後身頃の裏表をひっくり返して、当該左側前後身頃を右側前後身頃として用いることが可能となる。また同様に、右側前後身頃の裏表をひっくり返して、当該右側前後身頃を左側前後身頃として用いることが可能となる。従って、例えば、右側部分だけが鍼灸による出血等によって汚れた２つの施術用衣服がある場合に、汚れていない２つの左側前後身頃のうちの一方だけ裏表をひっくり返すことにより、汚れていない左右の前後身頃を揃えて、新たな施術用衣服として使用することが可能となる。そして、この場合も、右側前後身頃だけを廃棄すればよいので、経済的である。
【考案の効果】
【００１５】
本考案によれば、洗濯時等において、裏表を気にする必要のない施術用衣服を提供することができる。
また、本考案によれば、鍼灸等の施術時に、患部に対応する部分を、簡単に開いたり閉じたりすることができると共に、施術用衣服本体の生地を傷めてしまうこともない施術用衣服を提供することができる。
さらに、本考案によれば、鍼灸による出血等によって汚れた場合であっても、一着まるごと廃棄する必要のない経済的な施術用衣服を提供することができる。
【図面の簡単な説明】
【００１６】
【図１】本考案の実施の形態１における施術用衣服の構成を示す正面斜視図である。
【図２】本考案の実施の形態１における施術用衣服を、左側前後見頃と右側前後見頃に分離した状態を示す分解正面斜視図である。
【図３】本考案の実施の形態１における施術用衣服の、接合手段による接合の一部を解除した状態を示す正面斜視図である。
【図４】本考案の実施の形態１における施術用衣服の、接合手段による接合の一部を解除した状態を示す一部拡大正面斜視図である。
【図５】本考案の実施の形態１における施術用衣服の、接合手段による接合のさらに他の一部を解除した状態を示す一部拡大正面斜視図である。
【図６】本考案の実施の形態１における施術用衣服の使用例を示す正面斜視図である。
【図７】本考案の実施の形態２における施術用衣服を、左側前後見頃と右側前後見頃に分離した状態を示す分解正面斜視図である。
【図８】本考案の実施の形態３における施術用衣服の構成を示す正面斜視図である。
【図９】本考案の実施の形態３における施術用衣服の、接合手段による接合の一部を解除した状態を示す正面斜視図である。
【考案を実施するための形態】
【００１７】
以下、好適な実施の形態を用いて本考案をさらに具体的に説明する。但し、下記の実施の形態は本考案を具現化した例に過ぎず、本考案はこれに限定されるものではない。
【００１８】
［実施の形態１］
まず、本考案の実施の形態１における施術用衣服について、図１から図６を参照しながら説明する。
【００１９】
図１は、本考案の実施の形態１における施術用衣服の構成を示す正面斜視図、図２は、当該施術用衣服を、左側前後見頃と右側前後見頃に分離した状態を示す分解正面斜視図、図３は、当該施術用衣服の、接合手段による接合の一部を解除した状態を示す正面斜視図、図４は、当該施術用衣服の、接合手段による接合の一部を解除した状態を示す一部拡大正面斜視図、図５は、当該施術用衣服の、接合手段による接合のさらに他の一部を解除した状態を示す一部拡大正面斜視図、図６は、当該施術用衣服の使用例を示す正面斜視図である。
【００２０】
図１に示す本実施の形態の施術用衣服１は、例えば、鍼灸等の施術を受ける被施術者（患者）が施術時に着衣する施術用衣服（患者着）である。この施術用衣服１は、別に準備されるズボン（図示せず）と一緒に着衣される。
施術用衣服１は、表裏両面がタオル地からなり、リバーシブル着用可能なノースリーブ状に形成されている。尚、図１中、参照符号２ａ，３ａは「袖刳り」を示し、４は「襟刳り」を示している。
表裏両面をタオル地とすることにより、着用感に優れた施術用衣服１を提供することが可能となる。
【００２１】
本実施の形態の施術用衣服１の構成によれば、リバーシブル着用可能に形成されているため、例えば、洗濯等において、裏表を気にする必要がない。その結果、例えば、当該施術用衣服１の持ち主である鍼灸師等の、洗濯等の際における手間を軽減することが可能となる。
【００２２】
図１、図２に示すように、施術用衣服１は、略左右対称で、かつ、互いに接合分離可能な、左側前後身頃２と、右側前後身頃３と、からなっている。ここで、左側前後身頃２と右側前後身頃３は、正面側で、右側前後身頃３の身丈方向端縁部分３ｂを左側前後身頃２の身丈方向端縁部分２ｂの上に重ね合わせた状態で接合される。また、左側前後身頃２と右側前後身頃３は、背面側で、左側前後身頃２の身丈方向端縁部分２ｃを右側前後身頃３の身丈方向端縁部分３ｃの上に重ね合わせた状態で接合される。
【００２３】
施術用衣服１のかかる構成によれば、例えば、当該施術用衣服１の右側部分だけが鍼灸による出血等によって汚れた場合に、右側前後身頃３だけを廃棄すればよいので、経済的である。
【００２４】
図１、図２に示すように、左側前後身頃２と右側前後身頃３の正面側の重ね合わせ部分には、上下方向に所定の間隔を置いて接合手段としての複数のプラスチック製スナップボタン５が設けられている。
さらに具体的に説明すると、図１から図４に示すように、左側前後身頃２の正面側の身丈方向端縁部分２ｂには、表側に嵌合凹部８ａがくるように、スナップボタン５の雌部８が取り付けられている。一方、右側前後身頃３の正面側の身丈方向端縁部分３ｂには、裏側に嵌合凸部７ａがくるように、スナップボタン５の雄部７が取り付けられている。そして、右側前後身頃３の正面側の身丈方向端縁部分３ｂを、左側前後身頃２の正面側の身丈方向端縁部分２ｂに被せる形で、スナップボタン５の雄部７をスナップボタン５の雌部８に嵌合させることにより、左側前後身頃２と右側前後身頃３を、正面側で接合できるようにされている。
【００２５】
また、図１、図２に示すように、左側前後身頃２と右側前後身頃３の背面側の重ね合わせ部分には、上下方向に所定の間隔を置いて接合手段としての複数のプラスチック製スナップボタン６が設けられている。
さらに具体的に説明すると、図１から図５に示すように、左側前後身頃２の背面側の身丈方向端縁部分２ｃには、裏側に嵌合凸部９ａがくるように、スナップボタン６の雄部９が取り付けられている。一方、右側前後身頃３の背面側の身丈方向端縁部分３ｃには、表側に嵌合凹部１０ａがくるように、スナップボタン６の雌部１０が取り付けられている。そして、左側前後身頃２の背面側の身丈方向端縁部分２ｃを、右側前後身頃３の背面側の身丈方向端縁部分３ｃに被せる形で、スナップボタン６の雄部９をスナップボタン６の雌部１０に嵌合させることにより、左側前後身頃２と右側前後身頃３を、背面側で接合できるようにされている。
【００２６】
かかる構成によれば、接合手段としてスナップボタン５，６を用いることにより、当該接合手段を、片手で簡単に止めることができ、また、片手で簡単に外すこともできる。従って、かかる構成によれば、例えば、鍼灸等の施術時に、施術用衣服１の、患部に対応する部分を、簡単に開いたり閉じたりすることができるので、施術する側にとって使い勝手の良い施術用衣服を提供することが可能となる。また、複数のスナップボタン５（６）が所定の間隔を置いて設けられているので、チャック（スライドファスナー）で開け閉めする場合と異なり、施術用衣服１の、患部に対応する部分のみを開いて、鍼灸等を施すことができる。例えば患部がお腹の場合には、図６に示すように、施術用衣服１の、お腹に対応する部分のみを開き、胸元に対応する部分は閉じたままにしておくことができるので、女性の患者が恥ずかしい思いをすることはない。
また、接合手段としてスナップボタン５，６を用いれば、施術用衣服本体が肌触りの良いタオル地のような起毛素材からなる場合であっても、面ファスナーのように施術用衣服本体の生地に貼り付いて生地を傷めてしまうこともない。
【００２７】
さらに、スナップボタン５の雄部７，雌部８、及び、スナップボタン６の雄部９，雌部１０を、上記のような位置関係で取り付けたので（図２，図４，図５を参照）、左側前後身頃２をそのまま右側前後身頃３として用いることが可能となり、右側前後身頃３をそのまま左側前後身頃２として用いることが可能となる。従って、例えば、右側部分だけが鍼灸による出血等によって汚れた２つの施術用衣服１がある場合に、汚れていない２つの左側前後身頃２のうちの一方を右側前後身頃３として用いることにより、汚れていない左右の前後身頃２，３を揃えて、新たな施術用衣服１として使用することが可能となる。そして、この場合も、右側前後身頃３だけを廃棄すればよいので、経済的である。
尚、この場合、左側前後身頃２と右側前後身頃３は、それぞれ略前後対称となっていることが好ましい。かかる好ましい構成によれば、例えば上記のように左側前後身頃２を右側前後身頃３として用いても（逆の場合も同じ）、袖刳り２ａ，３ａ部分や襟刳り４部分が窮屈になることはない。
【００２８】
スナップボタン５，６は、正面視で直径が１０ｍｍから２５ｍｍである。
スナップボタン５，６としては、比較的径の小さいものを用いることが好ましい。かかる好ましい構成によれば、施術用衣服１の上からマッサージを行う場合に、スナップボタン５，６が指圧の邪魔になることはない。
【００２９】
尚、本実施の形態においては、表裏両面がタオル地からなる施術用衣服１を例に挙げて説明したが、本考案は必ずしもこのような構成のものに限定されるものではない。表裏両面が略同一素材の生地からなり、リバーシブル着用可能に形成されていれば、表裏両面がタオル地以外の生地からなるものであってもよい。
【００３０】
また、本実施の形態においては、略左右対称で、かつ、互いに接合分離可能な、左側前後身頃２と、右側前後身頃３と、からなる施術用衣服１を例に挙げて説明したが、本考案は必ずしもこのような構成のものに限定されるものではない。本考案の施術用衣服は、リバーシブル着用可能に形成されていれば、左右非対称な、左側前後身頃と、右側前後身頃と、からなるものであってもよい。かかる構成によれば、「ツボ」を避けてスナップボタン等の接合手段を配置することが可能となるので、施術用衣服の上からマッサージを行う場合に、スナップボタン等の接合手段が指圧の邪魔になることを防止することができる。
【００３１】
また、本実施の形態においては、接合手段としてプラスチック製スナップボタン５，６を用いる場合を例に挙げて説明したが、本考案は必ずしもこのような構成のものに限定されるものではない。接合手段としては、例えば、金属製スナップボタン，ホック，面ファスナー等を用いることもできる。
【００３２】
［実施の形態２］
次に、本考案の実施の形態２における施術用衣服について説明する。
【００３３】
上記実施の形態１においては、左側前後身頃２の正面側の身丈方向端縁部分２ｂに、表側に嵌合凹部８ａがくるように、スナップボタン５の雌部８が取り付けられ、右側前後身頃３の正面側の身丈方向端縁部分３ｂに、裏側に嵌合凸部７ａがくるように、スナップボタン５の雄部７が取り付けられ、左側前後身頃２の背面側の身丈方向端縁部分２ｃに、裏側に嵌合凸部９ａがくるように、スナップボタン６の雄部９が取り付けられ、右側前後身頃３の背面側の身丈方向端縁部分３ｃに、表側に嵌合凹部１０ａがくるように、スナップボタン６の雌部１０が取り付けられている場合を例に挙げて説明したが（図１から図５を参照）、本考案は必ずしもこのような構成のものに限定されるものではない。例えば、図７に示すような構成にしてもよい。
【００３４】
図７は、本考案の実施の形態２における施術用衣服を、左側前後見頃と右側前後見頃に分離した状態を示す分解正面斜視図である。
【００３５】
図７に示すように、施術用衣服１１は、表裏両面がタオル地からなり、リバーシブル着用可能なノースリーブ状に形成されている。尚、図７中、参照符号１２ａ，１３ａは「袖刳り」を示し、１４は「襟刳り」を示している。
また、施術用衣服１１は、略左右対称で、かつ、互いに接合分離可能な、左側前後身頃１２と、右側前後身頃１３と、からなっている。ここで、左側前後身頃１２と右側前後身頃１３は、正面側で、右側前後身頃１３の身丈方向端縁部分１３ｂを左側前後身頃１２の身丈方向端縁部分１２ｂの上に重ね合わせた状態で接合される。また、左側前後身頃１２と右側前後身頃１３は、背面側で、左側前後身頃１２の身丈方向端縁部分１２ｃを右側前後身頃１３の身丈方向端縁部分１３ｃの上に重ね合わせた状態で接合される。
【００３６】
左側前後身頃１２と右側前後身頃１３の正面側の重ね合わせ部分には、上下方向に所定の間隔を置いて接合手段としての複数のプラスチック製スナップボタン１５が設けられている。また、左側前後身頃１２と右側前後身頃１３の背面側の重ね合わせ部分には、上下方向に所定の間隔を置いて接合手段としての複数のプラスチック製スナップボタン１６が設けられている。
さらに具体的に説明すると、左側前後身頃１２の正面側の身丈方向端縁部分１２ｂには、表側に嵌合凹部１８ａがくるように、スナップボタン１５の雌部１８が取り付けられ、右側前後身頃１３の正面側の身丈方向端縁部分１３ｂには、裏側に嵌合凸部１７ａがくるように、スナップボタン１５の雄部１７が取り付けられている。そして、右側前後身頃１３の正面側の身丈方向端縁部分１３ｂを、左側前後身頃１２の正面側の身丈方向端縁部分１２ｂに被せる形で、スナップボタン１５の雄部１７をスナップボタン１５の雌部１８に嵌合させることにより、左側前後身頃１２と右側前後身頃１３を、正面側で接合できるようにされている。また、左側前後身頃１２の背面側の身丈方向端縁部分１２ｃには、裏側に嵌合凸部１９ａがくるように、スナップボタン１６の雄部１９が取り付けられ、右側前後身頃１３の背面側の身丈方向端縁部分１３ｃには、表側に嵌合凹部２０ａがくるように、スナップボタン１６の雌部２０が取り付けられている。そして、左側前後身頃１２の背面側の身丈方向端縁部分１２ｃを、右側前後身頃１３の背面側の身丈方向端縁部分１３ｃに被せる形で、スナップボタン１６の雄部１９をスナップボタン１６の雌部２０に嵌合させることにより、左側前後身頃１２と右側前後身頃１３を、背面側で接合できるようにされている。
【００３７】
また、左側前後身頃１２と右側前後身頃１３の正面側の重ね合わせ部分には、上下方向に所定の間隔を置いて接合手段としての複数のプラスチック製スナップボタン１５’が設けられている。また、左側前後身頃１２と右側前後身頃１３の背面側の重ね合わせ部分には、上下方向に所定の間隔を置いて接合手段としての複数のプラスチック製スナップボタン１６’が設けられている。
さらに具体的に説明すると、左側前後身頃１２の正面側の身丈方向端縁部分１２ｂには、表側に嵌合凸部１７ａ’がくるように、スナップボタン１５’の雄部１７’が取り付けられ、右側前後身頃１３の正面側の身丈方向端縁部分１３ｂには、裏側に嵌合凹部１８ａ’がくるように、スナップボタン１５’の雌部１８’が取り付けられている。そして、右側前後身頃１３の正面側の身丈方向端縁部分１３ｂを、左側前後身頃１２の正面側の身丈方向端縁部分１２ｂに被せる形で、スナップボタン１５’の雌部１８’をスナップボタン１５’の雄部１７’に嵌合させることにより、左側前後身頃１２と右側前後身頃１３を、正面側で接合できるようにされている。また、左側前後身頃１２の背面側の身丈方向端縁部分１２ｃには、裏側に嵌合凹部２０ａ’がくるように、スナップボタン１６’の雌部２０’が取り付けられ、右側前後身頃１３の背面側の身丈方向端縁部分１３ｃには、表側に嵌合凸部１９ａ’がくるように、スナップボタン１６’の雄部１９’が取り付けられている。そして、左側前後身頃１２の背面側の身丈方向端縁部分１２ｃを、右側前後身頃１３の背面側の身丈方向端縁部分１３ｃに被せる形で、スナップボタン１６’の雌部２０’をスナップボタン１６’の雄部１９’に嵌合させることにより、左側前後身頃１２と右側前後身頃１３を、背面側で接合できるようにされている。
【００３８】
本実施の形態の施術用衣服１１の構成によれば、スナップボタン１５の雄部１７，雌部１８、及び、スナップボタン１６の雄部１９，雌部２０、並びに、スナップボタン１５’の雄部１７’，雌部１８’、及び、スナップボタン１６’の雄部１９’，雌部２０’を、上記のような位置関係で取り付けたので、左側前後身頃１２の裏表をひっくり返すことにより、当該左側前後身頃１２を右側前後身頃１３として用いることが可能となる。また、右側前後身頃１３の裏表をひっくり返すことにより、当該右側前後身頃１３を左側前後身頃１２として用いることが可能となる。
従って、例えば、右側部分だけが鍼灸による出血等によって汚れた２つの施術用衣服１１がある場合に、汚れていない２つの左側前後身頃１２のうちの一方だけ裏表をひっくり返すことにより、汚れていない左右の前後身頃１２，１３を揃えて、新たな施術用衣服１１として使用することが可能となる。そして、この場合も、右側前後身頃１３だけを廃棄すればよいので、経済的である。
尚、この場合、左側前後身頃１２と右側前後身頃１３は、それぞれ略前後対称となっていることが好ましい。かかる好ましい構成によれば、例えば上記のように左側前後身頃１２を右側前後身頃１３として用いても（逆の場合も同じ）、袖刳り１２ａ，１３ａ部分や襟刳り１４部分が窮屈になることはない。
【００３９】
［実施の形態３］
次に、本考案の実施の形態３における施術用衣服について説明する。
【００４０】
上記実施の形態１，２においては、別に準備されるズボンと一緒に着衣される上着タイプの施術用衣服１，１１を例に挙げて説明したが、本考案は必ずしもこのような構成のものに限定されるものではない。表裏両面が略同一素材の生地からなり、リバーシブル着用可能に形成されていれば、図８，図９に示すようなワンピースタイプのものであってもよい。
【００４１】
図８は、本考案の実施の形態３における施術用衣服の構成を示す正面斜視図、図９は、当該施術用衣服の、接合手段による接合の一部を解除した状態を示す正面斜視図である。
【００４２】
図８に示す施術用衣服２１は、例えば、鍼灸等の施術を受ける被施術者（患者）が施術時に着衣する施術用衣服（患者着）である。
施術用衣服２１は、表裏両面がタオル地からなり、リバーシブル着用可能なノースリーブ状に形成されている。尚、図８中、参照符号２２ａ，２３ａは「袖刳り」を示し、２４は「襟刳り」を示している。
この構成の場合も、リバーシブル着用可能に形成されているため、例えば、洗濯等において、裏表を気にする必要がない。その結果、例えば、当該施術用衣服２１の持ち主である鍼灸師等の、洗濯等の際における手間を軽減することが可能となる。また、表裏両面をタオル地とすることにより、着用感に優れた施術用衣服１を提供することが可能となる。
【００４３】
施術用衣服２１の正面中央には、その上端（襟刳り２４部分）から大腿部辺りまで切り込み２５が入れられており、その左右の身丈方向端縁部分２２ｂ，２３ｂは、右側の身丈方向端縁部分２３ｂを左側の身丈方向端縁部分２２ｂの上に重ね合わせた状態で接合される。このように、本実施の形態の施術用衣服２１は、正面側の下部が左右分離不能となっており、上記実施の形態１，２の施術用衣服１，１１のような左右完全分離可能なものとはなっていない。
【００４４】
左側の身丈方向端縁部分２２ｂと右側の身丈方向端縁部分２３ｂの重ね合わせ部分には、上下方向に所定の間隔を置いて接合手段としての複数のプラスチック製スナップボタン２６が設けられている。
さらに具体的に説明すると、図８，図９に示すように、左側の身丈方向端縁部分２２ｂには、表側に嵌合凹部２８ａがくるように、スナップボタン２６の雌部２８が取り付けられている。一方、右側の身丈方向端縁部分２３ｂには、裏側に嵌合凸部２７ａがくるように、スナップボタン２６の雄部２７が取り付けられている。そして、右側の身丈方向端縁部分２３ｂを、左側の身丈方向端縁部分２２ｂに被せる形で、スナップボタン２６の雄部２７をスナップボタン２６の雌部２８に嵌合させることにより、右側の身丈方向端縁部分２３ｂと左側の身丈方向端縁部分２２ｂを接合できるようにされている。
【００４５】
図８に示すように、施術用衣服２１の背面中央には、その上端（襟刳り２４部分）から大腿部辺りまで切り込み２９が入れられており、その左右の身丈方向端縁部分２２ｃ，２３ｃは、左側の身丈方向端縁部分２２ｃを右側の身丈方向端縁部分２３ｃの上に重ね合わせた状態で接合される。このように、本実施の形態の施術用衣服２１は、背面側の下部が左右分離不能となっており、上記実施の形態１，２の施術用衣服１，１１のような左右完全分離可能なものとはなっていない。
【００４６】
左側の身丈方向端縁部分２２ｃと右側の身丈方向端縁部分２３ｃの重ね合わせ部分には、上下方向に所定の間隔を置いて接合手段としての複数のプラスチック製スナップボタン３０が設けられている。尚、スナップボタン３０の雄部，雌部の取付けは、正面側のスナップボタン２６の場合と同じであるため、その詳細な説明は省略する。
【００４７】
以上の構成によれば、接合手段としてスナップボタン２６，３０を用いることにより、当該接合手段を、片手で簡単に止めることができ、また、片手で簡単に外すこともできる。従って、かかる構成によれば、例えば、鍼灸等の施術時に、施術用衣服２１の、患部に対応する部分を、簡単に開いたり閉じたりすることができるので、施術する側にとって使い勝手の良い施術用衣服を提供することが可能となる。また、複数のスナップボタン２６（３０）が所定の間隔を置いて設けられているので、チャック（スライドファスナー）で開け閉めする場合と異なり、施術用衣服２１の、患部に対応する部分のみを開いて、鍼灸等を施すことができる。例えば患部がお腹の場合には、図９に示すように、施術用衣服２１の、お腹に対応する部分のみを開き、胸元に対応する部分は閉じたままにしておくことができるので、女性の患者が恥ずかしい思いをすることはない。
また、接合手段としてスナップボタン２６，３０を用いれば、施術用衣服本体が肌触りの良いタオル地のような起毛素材からなる場合であっても、面ファスナーのように施術用衣服本体の生地に貼り付いて生地を傷めてしまうこともない。
【００４８】
スナップボタン２６，３０は、正面視で直径が１０ｍｍから２５ｍｍである。
スナップボタン２６，３０としては、比較的径の小さいものを用いることが好ましい。かかる好ましい構成によれば、施術用衣服２１の上からマッサージを行う場合に、スナップボタン２６，３０が指圧の邪魔になることはない。
【００４９】
尚、本実施の形態においては、表裏両面がタオル地からなる施術用衣服２１を例に挙げて説明したが、本考案は必ずしもこのような構成のものに限定されるものではない。表裏両面が略同一素材の生地からなり、リバーシブル着用可能に形成されていれば、表裏両面がタオル地以外の生地からなるものであってもよい。
【００５０】
また、本実施の形態においては、正面中央と背面中央に切り込み２５，２９が入れられた施術用衣服２１を例に挙げて説明したが、本考案は必ずしもこのような構成のものに限定されるものではない。切り込みは、正面中央（背面中央）から左右いずれかにずれていてもよい。かかる構成によれば、「ツボ」を避けてスナップボタン等の接合手段を配置することが可能となるので、施術用衣服の上からマッサージを行う場合に、スナップボタン等の接合手段が指圧の邪魔になることを防止することができる。
【００５１】
また、本実施の形態においては、接合手段としてプラスチック製スナップボタン２６，３０を用いる場合を例に挙げて説明したが、本考案は必ずしもこのような構成のものに限定されるものではない。接合手段としては、例えば、金属製スナップボタン，ホック，面ファスナー等を用いることもできる。
【００５２】
また、本実施の形態においては、正面側及び背面側の下部が左右分離不能となっている施術用衣服２１を例に挙げて説明したが、本考案は必ずしもこのような構成のものに限定されるものではない。本実施の形態の施術用衣服についても、左右完全分離可能なものとすることができ、これにより、上記実施の形態１，２の場合と同様の追加的な効果を得ることが可能となる。
【符号の説明】
【００５３】
１，１１，２１  施術用衣服（患者着）
２，１２  左側前後身頃
２ａ，３ａ，１２ａ，１３ａ，２２ａ，２３ａ  袖刳り
２ｂ，２ｃ，３ｂ，３ｃ，１２ｂ，１２ｃ，１３ｂ，１３ｃ，２２ｂ，２２ｃ，２３ｂ,２３ｃ  身丈方向端縁部分
３，１３  右側前後身頃
４，１４，２４  襟刳り
５，６，１５，１５’，１６，１６’，２６，３０  スナップボタン
７，９，１７，１７’，１９，１９’，２７  雄部
７ａ，９ａ，１７ａ，１７ａ’，１９ａ，１９ａ’，２７ａ  嵌合凸部
８，１０，１８，１８’，２０，２０’，２８  雌部
８ａ，１０ａ，１８ａ，１８ａ’，２０ａ，２０ａ’，２８ａ  嵌合凹部
２５，２９  切り込み
【図１】
0003210678.tif 000003
【図２】
0003210678.tif 000004
【図３】
0003210678.tif 000005
【図４】
0003210678.tif 000006
【図５】
0003210678.tif 000007
【図６】
0003210678.tif 000008
【図７】
0003210678.tif 000009
【図８】
0003210678.tif 000010
【図９】
0003210678.tif 000011